(57)【要約】【課題】  無線通信に使用可能な周波数チャネルを効率的に使用する携帯端末を提供する。【解決手段】  基地局装置との間で無線通信を行う携帯端末は、無線通信を行う場合に使用可能な周波数チャネルの識別子毎に、予め測定したＲＦ性能値が記憶されたチャネル性能記憶手段と、無線通信の処理中において、使用する周波数チャネルを選択する必要がある場合に、チャネル性能記憶手段に記憶されているＲＦ性能値が良好な順に周波数チャネルを選択するチャネル選択手段とを備える。【選択図】    図１
2006332896.tif 000002
【特許請求の範囲】
【請求項１】
基地局装置との間で無線通信を行う携帯端末であって、
前記無線通信を行う場合に使用可能な周波数チャネルの識別子毎に、予め測定したＲＦ性能値が記憶されたチャネル性能記憶手段と、
前記無線通信の処理中において、使用する周波数チャネルを選択する必要がある場合に、前記チャネル性能記憶手段に記憶されているＲＦ性能値が良好な順に周波数チャネルを選択するチャネル選択手段と
を備えたことを特徴とする携帯端末。
【請求項２】
前記基地局装置から周波数チャネルを割り当ててもらう必要がある場合に、前記チャネル性能記憶手段に記憶されている周波数チャネル識別子毎のＲＦ性能値を前記基地局装置に対して通知するチャネル性能通知手段をさらに備えたことを特徴とする請求項１に記載の携帯端末。
【請求項３】
携帯端末との間で無線通信を行う基地局装置であって、
周波数チャネルの識別子毎のＲＦ性能値と携帯端末の識別子とを関連つけて記憶するチャネル性能記憶手段と、
前記携帯端末から周波数チャネル識別子毎のＲＦ性能値を受信して、該携帯端末の識別子と受信した周波数チャネル識別子毎のＲＦ性能値を関係付けて前記チャネル性能記憶手段に記憶するチャネル性能受信手段と、
前記携帯端末に対して、使用する周波数チャネルを割り当てる必要がある場合に、前記チャネル性能記憶手段に記憶されているＲＦ性能値が良好な順に割り当て可能な周波数チャネルを探索するチャネル割り当て手段と
を備えたことを特徴とする基地局装置。
【請求項４】
基地局装置と携帯端末の間で無線通信を行う無線通信システムであって、
前記携帯端末は、
前記無線通信を行う場合に使用可能な周波数チャネルの識別子毎に、予め測定したＲＦ性能値が記憶されたチャネル性能記憶手段と、
前記基地局装置から周波数チャネルを割り当ててもらう必要がある場合に、前記チャネル性能記憶手段に記憶されている周波数チャネル識別子毎のＲＦ性能値を前記基地局装置に対して通知するチャネル性能通知手段と備え、
前記基地局装置は、
周波数チャネルの識別子毎のＲＦ性能値と携帯端末の識別子とを関連つけて記憶するチャネル性能記憶手段と、
前記携帯端末から周波数チャネル識別子毎のＲＦ性能値を受信して、該携帯端末の識別子と受信した周波数チャネル識別子毎のＲＦ性能値を関係付けて前記チャネル性能記憶手段に記憶するチャネル性能受信手段と、
前記携帯端末に対して、使用する周波数チャネルを割り当てる必要がある場合に、前記チャネル性能記憶手段に記憶されているＲＦ性能値が良好な順に割り当て可能な周波数チャネルを探索するチャネル割り当て手段とを備えた
ことを特徴とする無線通信システム。
【請求項５】
前記携帯端末は、
前記無線通信の処理中において、使用する周波数チャネルを選択する必要がある場合に、前記チャネル性能記憶手段に記憶されているＲＦ性能値が良好な順に周波数チャネルを選択するチャネル選択手段をさらに備えたことを特徴とする請求項４に記載の無線通信システム。
【発明の詳細な説明】
【技術分野】
【０００１】
本発明は、無線通信に使用可能な周波数チャネルを効率的に使用する携帯端末、基地局装置及び無線通信システムに関する。
【背景技術】
【０００２】
従来の基地局は、携帯端末からトラフィックチャネル割り当てを要求されたとき、他の携帯端末との通信状況を考慮して、割り当て可能な（まだ他の携帯端末に割り当てていない）周波数チャネルの候補から適切なチャネルを割り当てるのが一般的である（例えば、特許文献１参照）。
【特許文献１】特開平０６−３２６６５０号公報
【発明の開示】
【発明が解決しようとする課題】
【０００３】
多数のバンドクラス・周波数チャネルをサポートする携帯端末の場合、無線通信回路を構成する電子部品の性能のばらつきから、見込んだ性能値を満たしてはいるが、各周波数チャネル毎に、受信感度、送信パワー効率、送受信品質等の性能値にばらつきが生じることがある。
しかしながら、従来の無線通信システムは、この無線通信回路の性能値のばらつきを考慮することなく無線通信処理を実行していたため、効率よく使用可能な周波数チャネルの選択が行われないという問題がある。この問題は、周波数チャネルの選択処理に時間を要したり、携帯端末間の性能にばらつきが生じたりしてしまうという問題がある。
【０００４】
本発明は、このような事情に鑑みてなされたもので、端末の性能が発揮できる周波数チャネルを優先的に使用することができる携帯端末、基地局装置及び無線通信システムを提供することを目的とする。
【課題を解決するための手段】
【０００５】
本発明は、基地局装置との間で無線通信を行う携帯端末であって、前記無線通信を行う場合に使用可能な周波数チャネルの識別子毎に、予め測定したＲＦ性能値が記憶されたチャネル性能記憶手段と、前記無線通信の処理中において、使用する周波数チャネルを選択する必要がある場合に、前記チャネル性能記憶手段に記憶されているＲＦ性能値が良好な順に周波数チャネルを選択するチャネル選択手段とを備えたことを特徴とする。
【０００６】
本発明は、前記基地局装置から周波数チャネルを割り当ててもらう必要がある場合に、前記チャネル性能記憶手段に記憶されている周波数チャネル識別子毎のＲＦ性能値を前記基地局装置に対して通知するチャネル性能通知手段をさらに備えたことを特徴とする。
【０００７】
本発明は、携帯端末との間で無線通信を行う基地局装置であって、周波数チャネルの識別子毎のＲＦ性能値と携帯端末の識別子とを関連つけて記憶するチャネル性能記憶手段と、前記携帯端末から周波数チャネル識別子毎のＲＦ性能値を受信して、該携帯端末の識別子と受信した周波数チャネル識別子毎のＲＦ性能値を関係付けて前記チャネル性能記憶手段に記憶するチャネル性能受信手段と、前記携帯端末に対して、使用する周波数チャネルを割り当てる必要がある場合に、前記チャネル性能記憶手段に記憶されているＲＦ性能値が良好な順に割り当て可能な周波数チャネルを探索するチャネル割り当て手段とを備えたことを特徴とする。
【０００８】
本発明は、基地局装置と携帯端末の間で無線通信を行う無線通信システムであって、前記携帯端末は、前記無線通信を行う場合に使用可能な周波数チャネルの識別子毎に、予め測定したＲＦ性能値が記憶されたチャネル性能記憶手段と、前記基地局装置から周波数チャネルを割り当ててもらう必要がある場合に、前記チャネル性能記憶手段に記憶されている周波数チャネル識別子毎のＲＦ性能値を前記基地局装置に対して通知するチャネル性能通知手段と備え、前記基地局装置は、周波数チャネルの識別子毎のＲＦ性能値と携帯端末の識別子とを関連つけて記憶するチャネル性能記憶手段と、前記携帯端末から周波数チャネル識別子毎のＲＦ性能値を受信して、該携帯端末の識別子と受信した周波数チャネル識別子毎のＲＦ性能値を関係付けて前記チャネル性能記憶手段に記憶するチャネル性能受信手段と、前記携帯端末に対して、使用する周波数チャネルを割り当てる必要がある場合に、前記チャネル性能記憶手段に記憶されているＲＦ性能値が良好な順に割り当て可能な周波数チャネルを探索するチャネル割り当て手段とを備えたことを特徴とする。
【０００９】
本発明は、前記携帯端末は、前記無線通信の処理中において、使用する周波数チャネルを選択する必要がある場合に、前記チャネル性能記憶手段に記憶されているＲＦ性能値が良好な順に周波数チャネルを選択するチャネル選択手段をさらに備えたことを特徴とする。
【発明の効果】
【００１０】
本発明によれば、周波数チャネルのＲＦ性能値の良好な順に、使用する周波数チャネルを選択するようにして、周波数チャネルの使用効率を向上させることができるため、無線通信処理が安定し、高データレート通信が可能となり、無駄な電力の消費を防止することができるという効果が得られる。また、基地局装置と携帯端末との間で使用する周波数チャネルの割り当てを効率良く行うことが可能になるため、無線通信システム全体の性能を向上させることが可能になるとともに、携帯端末の性能を最大限に引き出すことが可能となる。
【発明を実施するための最良の形態】
【００１１】
以下、本発明の一実施形態による携帯端末及び基地局装置を図面参照して説明する。図１は同実施形態の構成を示すブロック図である。この図において、符号１は、無線通信を行うための携帯端末である。符号３は、携帯端末１との間で無線通信を確立することにより、携帯端末１を移動通信網５に接続するための基地局（基地局装置）である。符号１１は、無線通信を行うためのアプリケーション（ＧＵＩ（Graphical User Interface）、音声通話、ゲーム、データ通信等）を実行する無線通信アプリケーション実行部である。符号１２は、基地局３との間で無線通信を実現するための通信プロトコルに基づいて処理を行う無線通信プロトコル部である。符号１３は、電源投入時などに捕捉する無線通信システムのバンドクラス・周波数チャネルを決定するシステム決定部である。符号１４は、近隣の基地局が使用するバンドクラス・周波数チャネルを監視する近隣チャネルサーチ部である。符号１５は、アイドル時のハンドオフ処理を実行するアイドルハンドオフ部である。符号１６は、通信中において近隣チャネルサーチ部１４における監視結果を基地局３に対して報告する近隣チャネル報告部である。符号１７は、通信継続時のハンドオフ処理を実行する通信中ハンドオフ部である。符号１８は、自己の位置を移動通信網５に対して登録する位置登録部である。符号１９は、発呼、着呼処理を実行する発着信処理部である。符号２０は、携帯端末１が使用可能なバンドクラス・周波数チャネル毎のＲＦ（Radio Frequency）性能値を基地局３に対して通知するＲＦ性能通知部である。
【００１２】
符号２１、２２は、性能が異なるＲＦ回路であり、通常の広範囲のバンドクラス・周波数チャネルに対応した第１ＲＦ回路と、性能を向上させたバンドクラス・周波数チャネル専用の第２ＲＦ回路を備えている。符号２３は、２つのＲＦ回路２１、２２の動作を制御するＲＦ制御部である。符号２４は、第１ＲＦ回路２１と第２ＲＦ回路２２を切り替えるためのＲＦ回路切り替え部である。符号２５は、第１ＲＦ回路２１の制御パラメータが記憶された第１のＲＦ制御パラメータ記憶部である。符号２６は、第２ＲＦ回路２２の制御パラメータが記憶された第２のＲＦ制御パラメータ記憶部であり、一部のバンドクラス・周波数チャネルのＲＦ性能が良くなるように、特別にチューンされたＲＦ制御パラメータが記憶される。符号２７は、携帯端末１の製造時に測定した各バンドクラス・周波数チャネルのＲＦ性能を記憶しておくＲＦ性能記憶部である。ここでいうＲＦ性能とは、例えば、受信感度、送信パワー効率、送受信品質などである。
【００１３】
ＲＦ性能通知部２０は、システム決定時、近隣チャネルサーチ時、近隣チャネル報告時、ハンドオフ時、位置登録時、発信時、着信時などに、ＲＦ性能記憶部２に記憶されている情報を上りチャネルメッセージとして基地局３に送信する。また、システム決定部１３は、最初に捕捉する無線通信システムのバンドクラス・周波数チャネルを決定するとき、ＲＦ性能記憶部２７に記憶されているＲＦ性能値が良好なバンドクラス・周波数チャネルを優先的に使用する。近隣チャネルサーチ部１４は、近隣チャネルを監視するとき、ＲＦ性能記憶部２７に記憶されているＲＦ性能値が良好なバンドクラス・周波数チャネルを優先的に使用する。アイドルハンドオフ部１５及び通信中ハンドオフ部１７は、ＲＦ性能記憶部２７に記憶されているＲＦ性能値が良好なバンドクラス・周波数チャネルを優先的に使用してハンドオフする。近隣チャネル報告部１６は、通信中に近隣チャネル監視した結果を基地局３報告するとき、ＲＦ性能記憶部２７に記憶されているＲＦ性能値が良好なバンドクラス・周波数チャネルを優先的に報告する。
【００１４】
符号３０は、携帯端末１との間で無線通信を実現するための通信プロトコルに基づいて処理を行う無線通信プロトコル部である。符号３１は、携帯端末１からトラフィックチャネル割り当て要求を受信したとき、チャネル割り当て可能なチャネル候補の中から、携帯端末１におけるＲＦ性能値が良好な順にチャネルを探索して割り当てる通信チャネル割り当て部である。符号３２は、携帯端末１から報告された近隣チャネル情報について、ハンドオフ候補が複数存在するとき、携帯端末１におけるＲＦ性能値が良好な順にチャネルを探索してチャネルへのハンドオフ指示メッセージを送信する近隣チャネル報告受信部である。符号３３は、携帯端末１との通信継続時のハンドオフ処理を実行する通信中ハンドオフ部であり、携帯端末１におけるＲＦ性能値が良好な順にチャネルを探索して他のチャネルへのハンドオフを実行する。
【００１５】
符号３４は、携帯端末１の位置を移動通信網５に対して登録する位置登録部である。符号３５は、発呼、着呼処理を実行する発着信処理部である。符号３６は、各携帯端末１からＲＦ性能値の情報を受信したとき、受信したＲＦ性能値を携帯端末１の識別可能な識別子と関係付けてＲＦ性能記憶部４０へ記憶するＲＦ性能通知受信部である。符号３７は、基地局３側のＲＦ回路である。符号３８は、ＲＦ回路３７の動作を制御するＲＦ制御部である。符号３９は、ＲＦ回路３７を制御するための制御パラメータが記憶されたＲＦ制御パラメータ記憶部である。ＲＦ制御部３８は、ＲＦ制御パラメータ記憶部３９に記憶されている制御パラメータに基づいてＲＦ回路３７の動作を制御する。
なお、無線通信プロトコル部３０は、携帯端末１がＲＦ性能値を通知しない場合、すべてのチャネルが通常性能チャネルであると仮定して、チャネル割り当て及びハンドオフ処理を実行する。
【００１６】
次に、図４を参照して、図１に示すＲＦ性能記憶部２７のテーブル構造を説明する。ＲＦ性能記憶部２７は、携帯端末１の製造時において測定された各バンドクラス・周波数チャネルのＲＦ性能値（受信感度、送信パワー効率、送受信品質などの値）に基づいて、各バンドクラス・周波数チャネルを、例えば「最良チャネル」、「良チャネル」、「低性能チャネル」、「使用不可チャネル」に分類して、各バンドクラス・周波数を識別する識別子が記憶されている。携帯端末１が使用可能なバンドクラス・周波数チャネルにおいて、ＲＦ性能記憶部２７に記憶されていないチャネルは、通常の性能を有するチャネルである。
なお、ＲＦ性能記憶部２７は、ＲＦ性能値が良好な順に、携帯端末１が使用可能なバンドクラス・周波数を識別する識別子が記憶されている構成とし、携帯端末１内の処理により、性能値の範囲毎に「最良チャネル」、「良チャネル」、「低性能チャネル」、「使用不可チャネル」を定義付けるようにしてもよい。
【００１７】
次に、図２を参照して、携帯端末１の無線通信プロトコル部１２において、使用するバンドクラス・周波数チャネルを選択して、捕捉する動作を説明する。ここでは、システム決定部１３が、システム決定を行う場合において、使用するバンドクラス・周波数チャネルを選択して、捕捉する動作を例にして説明する。
システム決定部１３は、携帯端末１の電源が投入されると、ＲＦ性能記憶部２７を参照して、最初に捕捉すべき無線システム（基地局３）のバンドクラス・周波数チャネルの候補の中からＲＦ性能値が良い順にチャネルを選択する（ステップＳ１）。システム決定部１３は、選択候補が存在し、チャネルが選択できたか否かを判定する（ステップＳ２）。チャネルが選択できた場合、システム決定部１３は、選択したバンドクラス・周波数チャネルの捕捉を試みる（ステップＳ３）。そして、システム決定部１３は、捕捉できたか否かを判定し（ステップＳ４）、捕捉できなければステップＳ１へ戻って次の選択候補を選択する。一方、捕捉できた場合、システム決定部１３は、システム捕捉成功時のシーケンスを実行する（ステップＳ５）。また、チャネル選択候補がなくなり、チャネル選択候補は選択できなかった場合、システム決定部１３は、システム捕捉失敗時のシーケンスを実行する（ステップＳ６）。
【００１８】
このように、システム決定処理を実行した場合、ＲＦ性能記憶部２７に記憶されているチャネル選択候補のうち、ＲＦ性能値が良好なチャネルを優先的に選択するようにしたため、チャネル選択処理を効率よく実行することが可能になる。例えば、近隣チャネルが（バンドクラス３・７６ｃｈ）、（バンドクラス３・９６８ｃｈ）、（バンドクラス３・３０ｃｈ）、（バンドクラス３・２５６ｃｈ）で、ＲＦ性能値が図４に示す状態である場合において、従来の携帯端末は、各近隣チャネル間に特に優先度がないので、（バンドクラス３・７６ｃｈ）、（バンドクラス３・９６８ｃｈ）、（バンドクラス３・３０ｃｈ）、（バンドクラス３・２５６ｃｈ）、（バンドクラス３・７６ｃｈ）、（バンドクラス３・９６８ｃｈ）、（バンドクラス３・３０ｃｈ）、（バンドクラス３・２５６ｃｈ）、（バンドクラス３・７６ｃｈ）、（バンドクラス３・９６８ｃｈ）、（バンドクラス３・３０ｃｈ）、（バンドクラス３・２５６ｃｈ）、・・・・・・のように順番に監視しなければならない。
【００１９】
しかし、本発明の携帯端末１は、最良チャネルは通常の３倍の頻度でサーチし、良チャネルは通常の２倍、低性能チャネルは通常の１／２の頻度でサーチするようにすれば、（バンドクラス３・７６ｃｈ）、（バンドクラス３・９６８ｃｈ）、（バンドクラス３・３０ｃｈ）、（バンドクラス３・２５６ｃｈ）、（バンドクラス３・７６ｃｈ）、（バンドクラス３・９６８ｃｈ）、（バンドクラス３・７６ｃｈ）、（バンドクラス３・７６ｃｈ）、（バンドクラス３・９６８ｃｈ）、（バンドクラス３・３０ｃｈ）、（バンドクラス３・７６ｃｈ）、（バンドクラス３・７６ｃｈ）、（バンドクラス３・９６８ｃｈ）、・・・・・・の順番で監視することになり、周波数チャネルの選択を効率的に行うことが可能となる。
【００２０】
また、図２に示す処理動作は、システム決定時の処理に限らず、無線通信の処理中において、使用する周波数チャネルを選択する必要がある場合に、適用可能である。例えば、携帯端末１は、アイドル中または通信中に、基地局３からの近隣チャネル報知メッセージの情報などを元に、近隣チャネルを定期的に監視している。アイドル中は、現行チャネルよりも一定量以上近隣チャネルの受信品質が高い場合に、アイドルハンドオフを行い、通信中は、現行チャネルや近隣チャネルの受信品質の変化を、定期的に基地局３に通知している。このようなときに、使用する周波数チャネルを選択する必要がある場合に、ＲＦ性能記憶部２７に記憶されているＲＦ性能値が良好な順に周波数チャネルを選択するようにすれば、よりＲＦ性能値の良い周波数チャネルでアイドル状態に入ることができるので、エリア境界でも安定した発着信ができるようになるとともに、よりＲＦ性能値の良い周波数チャネルの変化を詳細に監視することができるので、ＲＦ性能値の良い周波数チャネルにハンドオフできる可能性が向上し、安定した通信ができる。
【００２１】
また、携帯端末１は、一部のバンドクラス・周波数チャネルのＲＦ性能が良くなるように、特別にチューンされたＲＦ制御パラメータを保持しており、温度によって変化するＲＦ特性に対応するため、温度による補正を行うための温度補正パラメータを保持しているのが一般的である。一般に、ＲＦ制御パラメータの数を増やすほど、精度を上げるほど、ＲＦ性能は向上するが、ＲＦ制御処理が煩雑になり、調整に時間がかかるため、すべてのバンドクラス・周波数チャネル対して、ＲＦ制御パラメータの数を増したり、精度を上げたりすることは、非常に困難であり現実的ではない。しかし、ＲＦ性能値が良好な周波数チャネルに対してだけ、ＲＦ制御パラメータを用意しただけでもＲＦ性能をさらに向上させることができるともに、記憶するパラメータの数を減らすことが可能である。
【００２２】
次に、図３を参照して、基地局３の無線通信プロトコル部３０において、使用するバンドクラス・周波数チャネルを探索する動作を説明する。ここでは、通信チャネル割り当て部３１が、携帯端末１に対して通信チャネルを割り当てる動作例にして説明する。
まず、ＲＦ性能通知受信部３６は、携帯端末１から各バンドクラス・周波数チャネルのＲＦ性能値情報を受信したタイミングで、受信した情報に携帯端末１を識別する情報を付与して、ＲＦ性能記憶部４０に記憶する。一方、通信チャネル割り当て部３１は、携帯端末１からトラフィックチャネル割り当て要求を受信したとき、携帯端末１に対して割り当て可能なチャネル候補を求める（ステップＳ１１）。そして、通信チャネル割り当て部３１は、割り当て可能なチャネル候補があるかを判定する（ステップＳ１２）。この判定の結果、割り当て可能であれば、通信チャネル割り当て部３１は、ＲＦ性能記憶部４０を参照して、使用可能なチャネル候補のうち、トラフィックチャネル割り当て要求を送信した携帯端末のＲＦ性能値が良好な順にチャネルを探索して（ステップＳ１３）、割り当て可能なチャネルが見つかるまで探索する（ステップＳ１４）。そして、通信チャネル割り当て部３１は、割り当て可能なチャネルが見つかれば、この周波数チャネルをトラフィックチャネル割り当て要求を送信した携帯端末１に対して割り当て、チャネル割り当て成功時のシーケンスを実行する（ステップＳ１５）。一方、割り当て可能な周波数チャネルを探索した結果、見つからなかった場合、通信チャネル割り当て部３１は、チャネル割り当て失敗時のシーケンスを実行する（ステップＳ１６）。
【００２３】
図３に示す処理動作は、通信開始時のチャネル割り当て時の処理に限らず、無線通信の処理中において、使用する周波数チャネルを探索する必要がある場合に、適用可能である。例えば、携帯端末１から報告された近隣チャネル情報について、ハンドオフ候補が複数存在するとき、この携帯端末１ＲＦＦ性能値が良好な順にチャネル探索を行い、見つかった周波数チャネルを含むハンドオフ指示メッセージを送信する。
なお、無線通信プロトコル部３０は、携帯端末１がＲＦ性能値の情報を通知しない場合、使用可能なすべてのチャネルが通常性能チャネルであると仮定して、チャネル割り当て及びハンドオフを行う。
【００２４】
このように、携帯端末１は、ＲＦ性能値が良好なバンドクラス・周波数チャネルを優先的に捕捉、サーチするとともに、トラフィックチャネル接続前に、事前にＲＦ性能値が良好なバンドクラス・周波数チャネルを基地局３に通知し、基地局３は、各携帯端末１に割り当てるトラフィックチャネルの周波数を決定するとき、各携帯端末１のＲＦ性能値が良好な周波数チャネルに優先的に割り当てられるようにしたため、使用するチャネルを効率良く選択することが可能となる。これにより、ＲＦ性能値が良好な周波数チャネルを使用して、携帯端末１と基地局３との間で通信することになるため、通信が安定し、高データレート通信が可能となり、無駄な電力を消費しないようにすることができる。
【００２５】
なお、本発明の携帯端末は、移動通信を使用した携帯電話機や移動通信機能を有した携帯情報端末（ＰＤＡ）などを含むものである。
【００２６】
なお、図１における各処理部の機能を実現するためのプログラムをコンピュータ読み取り可能な記録媒体に記録して、この記録媒体に記録されたプログラムをコンピュータシステムに読み込ませ、実行することによりチャネル選択処理及びチャネル割り当て処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２８】
【図１】本発明の一実施形態の構成を示すブロック図である。
【図２】図１に示す携帯端末１の動作を示すフローチャートである。
【図３】図１に示す基地局３の動作を示すフローチャートである。
【図４】図１に示すＲＦ性能記憶部２７のテーブル構造を示す説明図である。
【符号の説明】
【００２９】
１・・・携帯端末、２０・・・ＲＦ性能通知部、２３・・・ＲＦ制御部、２７・・・ＲＦ性能記憶部、３・・・基地局、３６・・・ＲＦ性能通知受信部、４０・・・ＲＦ性能記憶部
【図１】
2006332896.tif 000003
【図２】
2006332896.tif 000004
【図３】
2006332896.tif 000005
【図４】
2006332896.tif 000006